(57)【要約】【課題】ユーザ所望の再生位置から再生することができる、ユーザにとって使い勝手のよい記録再生装置を提供する。【解決手段】記録再生装置１において、記録中の若しくは記録されたコンテンツに含まれる音声データを、所定の特徴データに変換する変換部１４と、当該変換された特徴データと、当該特徴データの元になった音声データの記録位置と、を対応付けて記憶する記録位置データ部１９３ａ１と、当該記憶された特徴データを検索して、入力されたキーワードデータに対応する特徴データを取得する取得プログラム１９３ａ１を実行したＣＰＵ１９１と、当該記憶された音声データの記録位置を検索して、当該取得された特徴データの元になった音声データの記録位置を特定する第２の特定プログラム１９３ｂ３を実行したＣＰＵ１９１と、当該特定された音声データの記録位置から再生する出力制御部１５及び出力部１６と、を備えるよう構成した。【選択図】図１
2007133964.tif 000002
【特許請求の範囲】
【請求項１】
記録中の若しくは記録された複数の楽曲の音楽コンテンツに含まれる音声データを、音声を文字化したテキストデータ及び音声の音色に関する音色データに変換する変換手段と、
前記変換手段により変換されたテキストデータと、当該テキストデータの元になった音声データの記録位置と、を対応付けて記憶する第１の記憶手段と、
前記変換手段により変換された音色データによって楽曲の開始位置を特定する第１の特定手段と、
前記第１の特定手段により特定された楽曲の開始位置を記憶する第２の記憶手段と、
前記テキストデータに対応した所定の文字データを入力する入力手段と、
前記第１の記憶手段に記憶されたテキストデータを検索して、前記入力手段により入力された文字データに対応するテキストデータを取得する取得手段と、
前記第２の記憶手段に記憶された楽曲の開始位置を検索して、前記取得手段により取得されたテキストデータの元になった音声データの記録位置の直前にある楽曲の開始位置を特定する第２の特定手段と、
前記第２の特定手段により特定された楽曲の開始位置から再生する再生手段と、
を備えることを特徴とする記録再生装置。
【請求項２】
記録中の若しくは記録されたコンテンツに含まれる音声データを、所定の特徴データに変換する変換手段と、
前記変換手段により変換された特徴データと、当該特徴データの元になった音声データの記録位置と、を対応付けて記憶する記憶手段と、
前記特徴データに対応した所定の検索データを入力する入力手段と、
前記記憶手段に記憶された特徴データを検索して、前記入力手段により入力された検索データに対応する特徴データを取得する取得手段と、
前記記憶手段に記憶された音声データの記録位置を検索して、前記取得手段により取得された特徴データの元になった音声データの記録位置を特定する特定手段と、
前記特定手段により特定された音声データの記録位置から再生する再生手段と、
を備えることを特徴とする記録再生装置。
【請求項３】
請求項２に記載の記録再生装置において、
前記コンテンツは画像データを含み、
前記特定手段により特定された音声データの記録位置に対応した画像データからサムネイルデータを生成する生成手段と、
前記生成手段により生成されたサムネイルデータに基づく画像を表示手段に表示させる表示制御手段と、
前記表示制御手段により前記表示手段に表示された画像の中から所望の画像を選択する選択手段と、を備え、
前記再生手段は、前記特定手段により特定された音声データの記録位置のうちの、前記選択手段により選択された画像に対応する音声データの記録位置から再生することを特徴とする記録再生装置。
【請求項４】
請求項２又は３に記載の記録再生装置において、
前記特徴データは、音声を文字化したテキストデータ、音声の音色に関する音色データ、音声の大きさに関する大きさデータのうちの、少なくとも一つであることを特徴とする記録再生装置。
【発明の詳細な説明】
【技術分野】
【０００１】
本発明は、記録再生装置に関する。
【背景技術】
【０００２】
従来、音声データや画像データを含むコンテンツを記録し、当該記録したコンテンツを再生することができる記録再生装置が知られている。
近年では、記録再生装置は、記録容量の増加に伴って、多数のコンテンツを記録することができるようになっている。その反面、記録された多数のコンテンツの中からユーザ所望のコンテンツを見つけ出さなければならないため、ユーザにとって使い勝手が悪いという問題がある。
そこで、ユーザがより少ないコンテンツの中からユーザ所望のコンテンツを見つけ出すことができるよう、コンテンツに含まれる音声データをテキストデータに変換し、当該テキストデータと、ユーザにより入力されたキーワードとによって、記録された多数のコンテンツを絞り込む記録再生装置（例えば、特許文献１及び２参照。）などが提案されている。また、ユーザが文字や画像を見ながらユーザ所望のコンテンツを見つけ出すことができるよう、検索に適したテキストデータや画像データ（サムネイルデータ）を抽出する方法（例えば、特許文献３参照。）なども提案されている。
【特許文献１】特開２００４−３６２２８０号公報
【特許文献２】特開２００４−２８９５３０号公報
【特許文献３】特開２００２−３３５４７３号公報
【発明の開示】
【発明が解決しようとする課題】
【０００３】
しかしながら、特許文献１及び２に記載の発明では、コンテンツが絞り込まれているためユーザ所望のコンテンツは見つけ出し易くなるものの、ユーザは、見つけ出したユーザ所望のコンテンツの中からユーザ所望の再生位置を見つけ出さなければならず、手間がかかってしまう。
また、特許文献３に記載の発明では、文字や画像によりユーザ所望のコンテンツや再生位置は見つけ出し易くなるものの、ユーザは、多数の文字や画像を見ながらユーザ所望のコンテンツや再生位置を見つけ出さなければならず、やはり手間がかかってしまう。
【０００４】
本発明の課題は、ユーザ所望の再生位置から再生することができる、ユーザにとって使い勝手のよい記録再生装置を提供することにある。
【課題を解決するための手段】
【０００５】
上記課題を解決するために、請求項１に記載の発明は、記録中の若しくは記録された複数の楽曲の音楽コンテンツに含まれる音声データを、音声を文字化したテキストデータ及び音声の音色に関する音色データに変換する変換手段と、前記変換手段により変換されたテキストデータと、当該テキストデータの元になった音声データの記録位置と、を対応付けて記憶する第１の記憶手段と、前記変換手段により変換された音色データによって楽曲の開始位置を特定する第１の特定手段と、前記第１の特定手段により特定された楽曲の開始位置を記憶する第２の記憶手段と、前記テキストデータに対応した所定の文字データを入力する入力手段と、前記第１の記憶手段に記憶されたテキストデータを検索して、前記入力手段により入力された文字データに対応するテキストデータを取得する取得手段と、前記第２の記憶手段に記憶された楽曲の開始位置を検索して、前記取得手段により取得されたテキストデータの元になった音声データの記録位置の直前にある楽曲の開始位置を特定する第２の特定手段と、前記第２の特定手段により特定された楽曲の開始位置から再生する再生手段と、を備えることを特徴とする。
【０００６】
請求項２に記載の発明は、記録中の若しくは記録されたコンテンツに含まれる音声データを、所定の特徴データに変換する変換手段と、前記変換手段により変換された特徴データと、当該特徴データの元になった音声データの記録位置と、を対応付けて記憶する記憶手段と、前記特徴データに対応した所定の検索データを入力する入力手段と、前記記憶手段に記憶された特徴データを検索して、前記入力手段により入力された検索データに対応する特徴データを取得する取得手段と、前記記憶手段に記憶された音声データの記録位置を検索して、前記取得手段により取得された特徴データの元になった音声データの記録位置を特定する特定手段と、前記特定手段により特定された音声データの記録位置から再生する再生手段と、を備えることを特徴とする。
【０００７】
請求項３に記載の発明は、請求項２に記載の記録再生装置において、前記コンテンツは画像データを含み、前記特定手段により特定された音声データの記録位置に対応した画像データからサムネイルデータを生成する生成手段と、前記生成手段により生成されたサムネイルデータに基づく画像を表示手段に表示させる表示制御手段と、前記表示制御手段により前記表示手段に表示された画像の中から所望の画像を選択する選択手段と、を備え、
前記再生手段は、前記特定手段により特定された音声データの記録位置のうちの、前記選択手段により選択された画像に対応する音声データの記録位置から再生することを特徴とする。
【０００８】
請求項４に記載の発明は、請求項２又は３に記載の記録再生装置において、前記特徴データは、音声を文字化したテキストデータ、音声の音色に関する音色データ、音声の大きさに関する大きさデータのうちの、少なくとも一つであることを特徴とする。
【発明の効果】
【０００９】
請求項１に記載の発明によれば、変換手段によって、記録中の若しくは記録された複数の楽曲の音楽コンテンツに含まれる音声データを、音声を文字化したテキストデータ及び音声の音色に関する音色データに変換することができ、第１の記憶手段によって、変換手段により変換されたテキストデータと、当該テキストデータの元になった音声データの記録位置と、を対応付けて記憶することができ、第１の特定手段によって、変換手段により変換された音色データによって楽曲の開始位置を特定することができ、第２の記憶手段によって、第１の特定手段により特定された楽曲の開始位置を記憶することができ、入力手段によって、テキストデータに対応した所定の文字データを入力することができ、取得手段によって、第１の記憶手段に記憶されたテキストデータを検索して、入力手段により入力された文字データに対応するテキストデータを取得することができ、第２の特定手段によって、第２の記憶手段に記憶された楽曲の開始位置を検索して、取得手段により取得されたテキストデータの元になった音声データの記録位置の直前にある楽曲の開始位置を特定することができ、再生手段によって、第２の特定手段により特定された楽曲の開始位置から再生することができる。
すなわち、ユーザによって所望の楽曲に含まれる文字データが入力されると、当該文字データを含む楽曲を当該楽曲の開始位置から再生することができる。したがって、ユーザ所望の再生位置から再生することができることとなって、ユーザにとって使い勝手のよい。
【００１０】
請求項２に記載の発明によれば、変換手段によって、記録中の若しくは記録されたコンテンツに含まれる音声データを、所定の特徴データに変換することができ、記憶手段によって、変換手段により変換された特徴データと、当該特徴データの元になった音声データの記録位置と、を対応付けて記憶することができ、入力手段によって、特徴データに対応した所定の検索データを入力することができ、取得手段によって、記憶手段に記憶された特徴データを検索して、入力手段により入力された検索データに対応する特徴データを取得することができ、特定手段によって、記憶手段に記憶された音声データの記録位置を検索して、取得手段により取得された特徴データの元になった音声データの記録位置を特定することができ、再生手段によって、特定手段により特定された音声データの記録位置から再生することができる。
すなわち、ユーザによって所望の検索データが入力されると、当該検索データに対応する位置から再生することができる。したがって、ユーザ所望の再生位置から再生することができることとなって、ユーザにとって使い勝手のよい。
【００１１】
請求項３に記載の発明によれば、請求項２に記載の発明と同様の効果が得られることは無論のこと、コンテンツは画像データを含み、生成手段によって、特定手段により特定された音声データの記録位置に対応した画像データからサムネイルデータを生成することができ、表示制御手段によって、生成手段により生成されたサムネイルデータに基づく画像を表示手段に表示させることができ、選択手段によって、表示制御手段により表示手段に表示された画像の中から所望の画像を選択することができ、そして、再生手段は、特定手段により特定された音声データの記録位置のうちの、選択手段により選択された画像に対応する音声データの記録位置から再生することができる。
すなわち、ユーザは、検索データに対応する位置に記録された画像を参照しながら、再生位置を選択することができるため、より一層、ユーザにとって使い勝手がよい。
【００１２】
請求項４に記載の発明によれば、請求項２又は３に記載の発明と同様の効果が得られることは無論のこと、特徴データは、音声を文字化したテキストデータ、音声の音色に関する音色データ、音声の大きさに関する大きさデータのうちの、少なくとも一つであるため、様々な検索データに対応することができることとなって、ユーザは、所望の再生位置を的確に見つけ出すことができる。
【発明を実施するための最良の形態】
【００１３】
以下、図を参照して、本発明にかかる記録再生装置の最良の形態を詳細に説明する。なお、発明の範囲は、図示例に限定されない。
【００１４】
＜記録再生装置の構成＞
まず、記録再生装置１の構成について、図１を参照して説明する。
記録再生装置１は、例えば、図１に示すように、チューナ１１と、記録制御部１２と、ＨＤＤ（Hard Disk Drive）１３と、変換部１４と、出力制御部１５と、出力部１６と、生成部１７と、リモコン受信部１８と、制御部１９と、などを備えて構成される。各部は、バス１Ｂによって接続されている。
また、記録再生装置１は、例えば、リモコン受信部１８と通信可能な記録再生装置１用のリモートコントローラ１８１（以下、「リモコン１８１」という。）も備えている。
【００１５】
チューナ１１は、アンテナ１１１を有しており、アンテナ１１１及びチューナ１１は、例えば、順次供給されるテレビジョン放送波から番組情報（コンテンツ）を受信して、記録制御部１２に出力する。
具体的には、チューナ１１は、例えば、制御部１９からの指示に従って、アンテナ１１１により受信されるテレビジョン放送波の中から、ユーザ所望の放送番組のチャンネルに対応する周波数帯域に存在するコンテンツを受信して、当該受信したコンテンツを中間周波信号に変換して、記録制御部１２に出力する。
ここで、コンテンツには、例えば、音声データや画像データが含まれている。
また、コンテンツの種類には、例えば、複数の楽曲の音楽番組情報である音楽コンテンツや、スポーツ番組情報であるスポーツコンテンツ、ニュース番組情報であるニュースコンテンツなどがある。アンテナ１１１及びチューナ１１により受信されたコンテンツの種類は、例えば、コンテンツとともに受信されるコンテンツのジャンルに関するジャンル情報に基づいて、制御部１９により判定される。
【００１６】
記録制御部１２は、例えば、制御部１９からの指示に従って、チューナ１１から出力されたコンテンツを、ＨＤＤ１３に記録する。
また、記録制御部１２は、例えば、制御部１９からの指示に従って、ＨＤＤ１３に記録中のコンテンツから音声データを抽出し、当該抽出した音声データと、当該抽出した音声データのＨＤＤ１３中での記録位置とを、変換部１４に出力する。
【００１７】
ＨＤＤ１３は、例えば、磁気的記録媒体、光学的記録媒体、若しくは半導体メモリで構成される。
具体的には、ＨＤＤ１３には、例えば、記録制御部１２によりコンテンツが記録される。
【００１８】
変換部１４は、例えば、制御部１９からの指示に従って、変換手段として、記録制御部１２から出力されたＨＤＤ１３に記録中のコンテンツに含まれる音声データを、所定の特徴データ（テキストデータや音色データなど）に変換し、当該変換した特徴データと、当該変換した特徴データの元になった音声データとともに記録制御部１２から出力された記録位置とを、制御部１９に出力する。
具体的には、特徴データとは、例えば、音声を文字化したテキストデータや、音声の音色に関する音色データ、音声の大きさに関する大きさデータなどである。
【００１９】
出力制御部１５は、例えば、制御部１９からの指示に従って、第２の特定プログラム１９３ｂ３を実行したＣＰＵ１９１（後述）により特定された音声データの記録位置又は楽曲の開始位置のうちの、ユーザによるリモコン１８１操作により選択された画像に対応する音声データの記録位置又は楽曲の開始位置から、ＨＤＤ１３に記録された音声データや画像データの取得を開始して、出力部１６に出力する。
【００２０】
出力部１６は、例えば、図１に示すように、音声出力部１６１と、画像表示部１６２と、などを備えている。
音声出力部１６１は、例えば、図示しないスピーカなどを備え、出力制御部１５から出力された音声データに基づいて音声の出力を行う。
画像表示部１６２は、例えば、図示しない液晶方式などの表示画面を備え、出力制御部１５から出力された画像データに基づいて画像の表示を行う。
ここで、出力制御部１５と出力部１６とによって、再生手段が構成される。
【００２１】
また、画像表示部１６２は、例えば、制御部１９から入力される表示信号に従って所与の表示処理を行う。
具体的には、画像表示部１６２は、例えば、表示手段として、表示制御プログラム１９３ｂ４を実行したＣＰＵ１９１（後述）が、生成部１７により生成されたサムネイルデータ（後述）に基づく画像を表示する際に使用される。
【００２２】
生成部１７は、例えば、生成手段として、第２の特定プログラム１９３ｂ３を実行したＣＰＵ１９１（後述）により特定された音声データの記録位置又は楽曲の開始位置に対応した画像データを、ＨＤＤ１３から取得して、当該取得した画像データからサムネイルデータを生成する。
【００２３】
リモコン受信部１８は、例えば、リモコン１８１から送信された各種信号を受信し、当該各種信号に基づく各種情報を、制御部１９に出力する。
リモコン１８１は、例えば、ユーザにより操作され、当該操作に伴う信号をリモコン受信部１８に送信する。
具体的には、リモコン１８１は、例えば、入力手段として、ユーザが、特徴データ（テキストデータなど）に対応した所定の検索データ（文字データなど）を入力する際に使用される。
より具体的には、ユーザは、所望の楽曲を再生させたい場合には、リモコン１８１を操作して、例えば、検索データとして所望の楽曲に含まれる文字データを入力するとともに、「楽曲再生」を入力する。
一方、ユーザは、楽曲以外のものを再生させたい場合には、リモコン１８１を操作して、例えば、検索データとして文字データやキーワードデータを入力する。すなわち、ユーザは、リモコン１８１を操作して、例えば、文字データを入力したり、例えば、予め記憶された「楽器」、「歓声」、「拍手」などの音色パターンデータ（図示省略）に対応するキーワードデータ（例えば、「楽器」、「歓声」、「拍手」など）を選択して入力したり、例えば、予め記憶された大きさデータ用閾値（図示省略）に対応するキーワードデータ（例えば、「盛り上がった雰囲気」など）を選択して入力する。
また、リモコン１８１は、例えば、選択手段として、ユーザが、表示制御プログラム１９３ｂ４を実行したＣＰＵ１９１（後述）により画像表示部１６２に表示された画像の中から所望の画像を選択する際に使用される。
【００２４】
制御部１９は、例えば、図１に示すように、ＣＰＵ（Central Processing Unit）１９１と、ＲＡＭ（Random Access Memory）１９２と、記憶部１９３と、などを備えている。
【００２５】
ＣＰＵ１９１は、記憶部１９３に記憶された記録再生装置１用の各種処理プログラムに従って各種の制御動作を行う。
【００２６】
ＲＡＭ１９２は、ＣＰＵ１９１によって実行される処理プログラムなどを展開するためのプログラム格納領域や、入力データや上記処理プログラムが実行される際に生じる処理結果などを格納するデータ格納領域などを備える。
【００２７】
記憶部１９３は、記録再生装置１で実行可能なシステムプログラム、当該システムプログラムで実行可能な各種処理プログラム、これら各種処理プログラムを実行する際に使用されるデータ、ＣＰＵ１９１によって演算処理された処理結果のデータなどを記憶する。なお、プログラムは、コンピュータが読み取り可能なプログラムコードの形で記憶部１９３に記憶されている。
具体的には、記憶部１９３は、例えば、図１に示すように、記録位置データ部１９３ａ１と、開始位置データ部１９３ａ２と、取得プログラム１９３ｂ１と、第１の特定プログラム１９３ｂ２と、第２の特定プログラム１９３ｂ３と、表示制御プログラム１９３ｂ４と、などを記憶している。
【００２８】
記録位置データ部１９３ａ１は、例えば、記憶手段及び第１の記憶手段として、変換部１４により変換された特徴データ（テキストデータなど）と、当該特徴データ（テキストデータなど）の元になった音声データの記録位置と、を対応付けて記憶する。
具体的には、記憶位置データ部１９３ａ１は、例えば、変換部１４から制御部１９に出力された特徴データと記憶位置とを対応付けて記憶する。
【００２９】
開始位置データ部１９３ａ２は、例えば、第２の記憶手段として、制御部１９が、アンテナ１１１及びチューナ１１により受信されたコンテンツの種類が音楽コンテンツであると判定した場合に、第１の特定プログラム１９３ｂ２を実行したＣＰＵ１９１により特定された楽曲の開始位置を記憶する。
【００３０】
取得プログラム１９３ｂ１は、例えば、記録位置データ部１９３ａ１に記憶された特徴データ（テキストデータなど）を検索して、ユーザによるリモコン１８１操作により入力された検索データ（文字データなど）に対応する特徴データ（テキストデータなど）を取得する機能を、ＣＰＵ１９１に実現させる。
具体的には、ユーザによるリモコン１８１操作によって、「楽曲再生」とともに、検索データとして文字データが入力された場合には、ＣＰＵ１９１は、テキストデータを検索して、当該入力された文字データと略同一のテキストデータを取得する。
一方、ユーザによるリモコン１８１操作によって、「楽曲再生」が入力されず、検索データとして文字データやキーワードデータが入力された場合には、ＣＰＵ１９１は、テキストデータを検索して、当該入力された文字データと略同一のテキストデータを取得したり、音色データを検索して、当該入力された「楽器」、「歓声」、「拍手」などのキーワードデータに対応する音色パターンデータに相当する音色データを取得したり、大きさデータを検索して、当該入力された「盛り上がった雰囲気」などのキーワードデータに対応する大きさデータ用閾値を超える大きさデータを取得する。
ＣＰＵ１９１は、かかる取得プログラム１９３ｂ１を実行することによって、取得手段として機能する。
【００３１】
第１の特定プログラム１９３ｂ２は、例えば、制御部１９が、アンテナ１１１及びチューナ１１により受信されたコンテンツの種類が音楽コンテンツであると判定した場合に、変換部１４により変換された音色データによって楽曲の開始位置を特定する機能をＣＰＵ１９１に実現させる。
具体的には、ＣＰＵ１９１は、例えば、予め記憶された「楽器」の音色パターンデータなどと、変換部１４により変換された音色データとを比較して、楽曲の開始位置を特定する。
ＣＰＵ１９１は、かかる第１の特定プログラム１９３ｂ２を実行することによって、第１の特定手段として機能する。
【００３２】
第２の特定プログラム１９３ｂ３は、例えば、記録位置データ部１９３ａ１に記憶された音声データの記録位置を検索して、取得プログラム１９３ｂ１を実行したＣＰＵ１９１により取得された特徴データの元になった音声データの記録位置を特定する機能を、ＣＰＵ１９１に実現させる。
また、第２の特定プログラム１９３ｂ３は、例えば、ユーザによるリモコン１８１操作によって、「楽曲再生」が入力された場合に、開始位置データ部１９３ａ２に記憶された楽曲の開始位置を検索して、取得プログラム１９３ｂ１を実行したＣＰＵ１９１により取得されたテキストデータの元になった音声データの記録位置の直前にある楽曲の開始位置を特定する機能を、ＣＰＵ１９１に実現させる。
ＣＰＵ１９１は、かかる第２の特定プログラム１９３ｂ３を実行することによって、特定手段及び第２の特定手段として機能する。
【００３３】
表示制御プログラム１９３ｂ４は、例えば、生成部１７により生成されたサムネイルデータに基づく画像を画像表示部１６２に表示させる機能を、ＣＰＵ１９１に実現させる。
ＣＰＵ１９１は、かかる表示制御プログラム１９３ｂ４を実行することによって、表示制御手段として機能する。
【００３４】
＜記録再生装置による処理＞
次に、記録再生装置１による処理について説明する。
【００３５】
（記録処理）
まず、記録再生装置１によるコンテンツの記録に関する処理について、図２のフローチャートを参照して説明する。
【００３６】
まず、ユーザによるリモコン１８１操作によって、ユーザ所望のコンテンツが指定されると（ステップＳ１１）、ＣＰＵ１９１は、チューナ１１に指示を出して、アンテナ１１１及びチューナ１１に、当該指定されたコンテンツの受信を開始させる（ステップＳ１２）。
【００３７】
次いで、ＣＰＵ１９１は、アンテナ１１１及びチューナ１１により受信されたコンテンツの種類が音楽コンテンツであるか否かを判定する（ステップＳ１３）。
【００３８】
ステップＳ１３で、音楽コンテンツであると判定すると（ステップＳ１３；Ｙｅｓ）、ＣＰＵ１９１は、記録制御部１２に指示を出して、ＨＤＤ１３にアンテナ１１１及びチューナ１１により受信されたコンテンツを記録させるとともに（ステップＳ１４）、記録制御部１２及び変換部１４に指示を出して、アンテナ１１１及びチューナ１１により受信されたコンテンツ（ＨＤＤ１３に記録中のコンテンツ）に含まれる音声データを特徴データに変換させる（ステップＳ１５）。
【００３９】
次いで、ＣＰＵ１９１は、記録位置データ部１９３ａ１に、ステップＳ１５で変換された特徴データと、当該特徴データの元になった音声データの記録位置とを対応付けて記憶させる（ステップＳ１６）。
【００４０】
次いで、ＣＰＵ１９１は、第１の特定プログラム１９３ｂ２を実行して、ステップＳ１５で変換された特徴データのうちの音色データによって楽曲の開始位置を特定する（ステップＳ１７）。
【００４１】
次いで、ＣＰＵ１９１は、開始位置データ部１９３ａ２に、ステップＳ１７で特定された楽曲の開始位置を記憶させる（ステップＳ１８）。
【００４２】
次いで、ＣＰＵ１９１は、ステップＳ１２で開始したコンテンツの受信を終了するか否かを判断する（ステップＳ１９）。
【００４３】
ステップＳ１９で、コンテンツの受信を終了しないと判断すると（ステップＳ１９；Ｎｏ）、ステップＳ１４の処理と、ステップＳ１５からステップＳ１８までの処理とを繰り返して行う。
【００４４】
一方、ステップＳ１９で、コンテンツの受信を終了すると判断すると（ステップＳ１９；Ｙｅｓ）、ＣＰＵ１９１は、チューナ１１に指示を出して、コンテンツの受信を終了させて（ステップＳ２０）、本処理を終了する。
【００４５】
また、ステップＳ１３で、音楽コンテンツでないと判定すると（ステップＳ１３；Ｎｏ）、ＣＰＵ１９１は、記録制御部１２に指示を出して、ＨＤＤ１３にアンテナ１１１及びチューナ１１により受信されたコンテンツを記録させるとともに（ステップＳ２１）、記録制御部１２及び変換部１４に指示を出して、アンテナ１１１及びチューナ１１により受信されたコンテンツ（ＨＤＤ１３に記録中のコンテンツ）に含まれる音声データを特徴データに変換させる（ステップＳ２２）。
【００４６】
次いで、ＣＰＵ１９１は、記録位置データ部１９３ａ１に、ステップＳ２２で変換された特徴データと、当該特徴データの元になった音声データの記録位置とを対応付けて記憶させる（ステップＳ２３）。
【００４７】
次いで、ＣＰＵ１９１は、ステップＳ１２で開始したコンテンツの受信を終了するか否かを判断する（ステップＳ２４）。
【００４８】
ステップＳ２４で、コンテンツの受信を終了しないと判断すると（ステップＳ２４；Ｎｏ）、ステップＳ２１の処理と、ステップＳ２２及びステップＳ２３の処理とを繰り返して行う。
【００４９】
一方、ステップＳ２４で、コンテンツの受信を終了すると判断すると（ステップＳ２４；Ｙｅｓ）、ＣＰＵ１９１は、チューナ１１に指示を出して、コンテンツの受信を終了させて（ステップＳ２５）、本処理を終了する。
【００５０】
（再生処理）
まず、記録再生装置１による音声データや画像データの再生に関する処理について、図３のフローチャートを参照して説明する。
【００５１】
まず、ユーザによるリモコン１８１操作によって、検索データ（文字データやキーワードデータなど）が入力されると（ステップＳ３１）、ＣＰＵ１９１は、ステップＳ３１で検索データのうちの文字データとともに、「楽曲再生」が入力されたか否かを判定する（ステップＳ３２）。
【００５２】
ステップＳ３２で、「楽曲再生」が入力されたと判定すると（ステップＳ３２；Ｙｅｓ）、ＣＰＵ１９１は、取得プログラム１９３ｂ１を実行して、記録位置データ部１９３ａ１に記憶された特徴データのうちのテキストデータを検索して、ステップＳ３１で入力された文字データに対応するテキストデータを取得する（ステップＳ３３）。
【００５３】
次いで、ＣＰＵ１９１は、第２の特定プログラム１９３ｂ３を実行して、開始位置データ部１９３ａ２に記憶された楽曲の開始位置を検索して、ステップＳ３３で取得されたテキストデータの元になった音声データの記録位置の直前にある楽曲の開始位置を特定する（ステップＳ３４）。
【００５４】
次いで、ＣＰＵ１９１は、生成部１７に指示を出して、ステップＳ３４で特定された楽曲の開始位置に対応した画像データを、ＨＤＤ１３から取得させて、当該取得された画像データからサムネイルデータを生成させる（ステップＳ３５）。
【００５５】
次いで、ＣＰＵ１９１は、表示制御プログラム１９３ｂ４を実行して、ステップＳ３５で生成されたサムネイルデータに基づく画像を画像表示部１６２に表示させる（ステップＳ３６）。
【００５６】
次いで、ＣＰＵ１９１は、ユーザによるリモコン１８１操作によって、ステップＳ３６で表示させた画像の中から、画像が選択されたか否かを判定する（ステップＳ３７）。
【００５７】
ステップＳ３７で、画像が選択されていないと判定すると（ステップＳ３７；Ｎｏ）、ＣＰＵ１９１は、ステップＳ３７の処理を繰り返して行う。
【００５８】
一方、ステップＳ３７で、画像が選択されたと判定すると（ステップＳ３７；Ｙｅｓ）、ＣＰＵ１９１は、出力制御部１５に指示を出して、出力制御部１５に、ステップＳ３４で特定された楽曲の開始位置のうちの、ステップＳ３７で選択された画像に対応する楽曲の開始位置から、ＨＤＤ１３に記録された音声データや画像データの取得を開始させて、出力部１６に出力させる。すなわち、ＣＰＵ１９１は、出力制御部１５及び出力部１６に、ステップＳ３７で選択された画像に対応する楽曲の開始位置から音声データや画像データを再生させ（ステップＳ３８）、本処理を終了する。
【００５９】
また、ステップＳ３２で、「楽曲再生」が入力されていないと判定すると（ステップＳ３２；Ｎｏ）、ＣＰＵ１９１は、取得プログラム１９３ｂ１を実行して、記録位置データ部１９３ａ１に記憶された特徴データを検索して、ステップＳ３１で入力された検索データに対応する特徴データを取得する（ステップＳ３９）。
【００６０】
次いで、ＣＰＵ１９１は、第２の特定プログラム１９３ｂ３を実行して、記録位置データ部１９３ａ１に記憶された音声データの記録位置を検索して、ステップＳ３９で取得された特徴データの元になった音声データの記録位置を特定する（ステップＳ４０）。
【００６１】
次いで、ＣＰＵ１９１は、生成部１７に指示を出して、ステップＳ４０で特定された音声データの記録位置に対応した画像データを、ＨＤＤ１３から取得させて、当該取得された画像データからサムネイルデータを生成する（ステップＳ４１）。
【００６２】
次いで、ＣＰＵ１９１は、表示制御プログラム１９３ｂ４を実行して、ステップＳ４１で生成されたサムネイルデータに基づく画像を画像表示部１６２に表示させる（ステップＳ４２）。
【００６３】
次いで、ＣＰＵ１９１は、ユーザによるリモコン１８１操作によって、ステップＳ４２で表示させた画像の中から、画像が選択されたか否かを判定する（ステップＳ４３）。
【００６４】
ステップＳ４３で、画像が選択されていないと判定すると（ステップＳ４３；Ｎｏ）、ＣＰＵ１９１は、ステップＳ４３の処理を繰り返して行う。
【００６５】
一方、ステップＳ４３で、画像が選択されたと判定すると（ステップＳ４３；Ｙｅｓ）、ＣＰＵ１９１は、出力制御部１５に指示を出して、出力制御部１５に、ステップＳ４０で特定された音声データの記録位置のうちの、ステップＳ４３で選択された画像に対応する音声データの記録位置から、ＨＤＤ１３に記録された音声データや画像データの取得を開始させて、出力部１６に出力させる。すなわち、ＣＰＵ１９１は、出力制御部１５及び出力部１６に、ステップＳ４３で選択された画像に対応する音声データの記録位置から音声データや画像データを再生させ（ステップＳ４４）、本処理を終了する。
【００６６】
以上説明した本発明の記録再生装置１によれば、変換部１４によって、記録中のコンテンツに含まれる音声データを、所定の特徴データ（例えば、テキストデータや音色データなど）に変換することができ、記録位置データ部１９３ａ１によって、変換部１４により変換された特徴データ（テキストデータなど）と、当該特徴データ（テキストデータなど）の元になった音声データの記録位置と、を対応付けて記憶することができ、第１の特定プログラム１９３ｂ２を実行したＣＰＵ１９１によって、変換部１４により変換された音色データによって楽曲の開始位置を特定することができ、開始位置データ部１９３ａ２によって、第１の特定プログラム１９３ｂ２を実行したＣＰＵ１９１により特定された楽曲の開始位置を記憶することができ、ユーザによるリモコン１８１操作によって、特徴データ（テキストデータなど）に対応した所定の検索データ（文字データやキーワードデータなど）を入力することができ、取得プログラム１９３ｂ１を実行したＣＰＵ１９１によって、記録位置データ部１９３ａ１に記憶された特徴データ（テキストデータなど）を検索して、ユーザによるリモコン１８１操作により入力された検索データ（文字データなど）に対応する特徴データ（テキストデータなど）を取得することができ、第２の特定プログラム１９３ｂ３を実行したＣＰＵ１９１によって、記録位置データ部１９３ａ１に記憶された音声データの記録位置を検索して、取得プログラム１９３ｂ１を実行したＣＰＵ１９１により取得された特徴データの元になった音声データの記録位置を特定することができるとともに、開始位置データ部１９３ａ２に記憶された楽曲の開始位置を検索して、取得プログラム１９３ｂ１を実行したＣＰＵ１９１により取得されたテキストデータの元になった音声データの記録位置の直前にある楽曲の開始位置を特定することができ、出力制御部１５及び出力部１６によって、第２の特定プログラム１９３ｂ３により特定された音声データの記録位置又は楽曲の開始位置から再生することができる。
すなわち、ユーザによって所望の検索データが入力されると、当該検索データに対応する位置から再生することができ、ユーザによって所望の楽曲に含まれる文字データが入力されると、当該文字データを含む楽曲を当該楽曲の開始位置から再生することができる。したがって、ユーザ所望の再生位置から再生することができることとなって、ユーザにとって使い勝手がよい。
【００６７】
また、コンテンツは画像データを含み、生成部１７によって、第２の特定プログラム１９３ｂ３を実行したＣＰＵ１９１により特定された音声データの記録位置又は楽曲の開始位置に対応した画像データからサムネイルデータを生成することができ、表示制御プログラム１９３ｂ４を実行したＣＰＵ１９１によって、生成部１７により生成されたサムネイルデータに基づく画像を画像表示部１６２に表示させることができ、ユーザによるリモコン１８１操作によって、表示制御プログラム１９３ｂ４を実行したＣＰＵ１９１により画像表示部１６２に表示された画像の中から所望の画像を選択することができ、そして、出力制御部１５及び出力部１６は、第２の特定プログラム１９３ｂ３を実行したＣＰＵ１９１により特定された音声データの記録位置又は楽曲の開始位置のうちの、ユーザによるリモコン１８１操作により選択された画像に対応する音声データの記録位置又は楽曲の開始位置から再生することができる。
すなわち、ユーザは、画像を参照しながら、再生位置を選択することができるため、より一層、ユーザにとって使い勝手がよい。
【００６８】
また、特徴データは、音声を文字化したテキストデータ、音声の音色に関する音色データ、音声の大きさに関する大きさデータのうちの、少なくとも一つであるため、様々な検索データに対応することができることとなって、ユーザは、所望の再生位置を的確に見つけ出すことができる。
【００６９】
なお、本発明は、上記した実施の形態のものに限るものではなく、その要旨を逸脱しない範囲で適宜変更可能である。
ＨＤＤ１３に記録中のコンテンツに含まれる音声データを特徴データに変換するようにしたが、ＨＤＤ１３に記録されたコンテンツに含まれる音声データを特徴データに変換するようにしてもよい。
具体的には、記録制御部１２は、例えば、制御部１９からの指示に従って、チューナ１１から出力されたコンテンツをＨＤＤ１３に記録し、変換部１４は、例えば、制御部１９からの指示に従って、ＨＤＤ１３に記録されたコンテンツを取得して、当該取得したコンテンツから音声データを抽出して所定の特徴データ（テキストデータや音色データなど）に変換し、当該変換した特徴データと、当該変換した特徴データの元になった音声データのＨＤＤ１３中での記録位置とを、制御部１９に出力するようにしてもよい。この場合、記録処理（図２）では、ステップＳ１４の処理が終了した後に、ステップＳ１５からステップＳ１８までの処理が行われ、ステップＳ２１の処理が終了した後に、ステップＳ２２及びステップＳ２３の処理が行われることとなる。
【００７０】
音声データの記録位置や楽曲の開始位置から再生するようにしたが、ユーザが余裕を持ってこれらの位置から再生されたものを視聴することができるよう、これらの位置よりも前の位置から再生するようにしてもよい。
【図面の簡単な説明】
【００７１】
【図１】本発明における記録再生装置の機能的構成を示すブロック図である。
【図２】本発明における記録再生装置によるコンテンツの記録に関する処理を説明するためのフローチャートである。
【図３】本発明における記録再生装置による音声データや画像データの再生に関する処理を説明するためのフローチャートである。
【符号の説明】
【００７２】
１  記録再生装置
１４  変換部（変換手段）
１５  出力制御部（再生手段）
１６  出力部（再生手段）
１７  生成部（生成手段）
１６２  画像表示部（表示手段）
１８１  リモコン（入力部、選択手段）
１９１  ＣＰＵ（取得手段、第１の特定手段、第２の特定手段、特定手段、表示制御手段）
１９３ａ１  記録位置データ部（第１の記憶手段、記憶手段）
１９３ａ２  開始位置データ部（第２の記憶手段）
１９３ｂ１  取得プログラム（取得手段）
１９３ｂ２  第１の特定プログラム（第１の特定手段）
１９３ｂ３  第２の特定プログラム（第２の特定手段、特定手段）
１９３ｂ４  表示制御プログラム（表示制御手段）
【図１】
2007133964.tif 000003
【図２】
2007133964.tif 000004
【図３】
2007133964.tif 000005